(57)【要約】【課題】アキュムレータ等に用いられる金属ベローズにおいて、ベローズ自体が液体の熱膨張による高圧を吸収する機能を備える金属ベローズを提供する。【解決手段】第一内径側反転部、第一腹部、第一外径側反転部、第二腹部、第二内径側反転部、第三腹部、第二外径側反転部および第四腹部をこの順に一連に一体成形した構造を軸方向に繰り返し有する金属ベローズであって、自由長状態において当該ベローズの内径側から圧力が作用したときに、第一腹部および第二腹部ならびに第三腹部および第四腹部はそれぞれ互いに軸方向に離間する方向へ膨らむことにより圧力を吸収し、このとき第一外径側反転部および第二外径側反転部の軸方向間隔は殆んど変わらず、自由長状態から当該ベローズが伸長したときには、第一外径側反転部および第二外径側反転部の軸方向間隔が拡大する。【選択図】図２
2010281443.tif 000002
【特許請求の範囲】
【請求項１】
環状を呈し、第一内径側反転部、第一腹部、第一外径側反転部、第二腹部、第二内径側反転部、第三腹部、第二外径側反転部および第四腹部をこの順に一連に一体成形した構造を軸方向に繰り返し有する金属ベローズであって、
当該ベローズが伸長も収縮もしていない組み込み初期における自由長状態において、前記第一腹部および第二腹部は互いに少なくとも一部が面接触し、断面円弧状をなして反転する前記第一外径側反転部の軸方向幅は前記第一腹部および第二腹部の厚みの和よりも大きく設定され、前記第二腹部および第三腹部は互いに軸方向に離間し、前記第三腹部および第四腹部は互いに少なくとも一部が面接触し、断面円弧状をなして反転する前記第二外径側反転部の軸方向幅は前記第三腹部および第四腹部の厚みの和よりも大きく設定され、前記第一外径側反転部および第二外径側反転部は互いに軸方向に離間しており、
前記自由長状態において当該ベローズの内径側から圧力が作用したときに、前記第一腹部および第二腹部ならびに前記第三腹部および第四腹部はそれぞれ互いに軸方向に離間する方向へ膨らむことにより前記圧力を吸収し、このとき前記第一外径側反転部および第二外径側反転部の軸方向間隔は殆んど変わらず、
前記自由長状態から当該ベローズが伸長したときには、前記第一外径側反転部および第二外径側反転部の軸方向間隔が拡大することを特徴とする金属ベローズ。
【発明の詳細な説明】
【技術分野】
【０００１】
本発明は、金属ベローズに関する。本発明の金属ベローズは車載用のアキュムレータにその構成要素として好適に用いられる。
【背景技術】
【０００２】
従来から図６に示すように、ハウジング５１の内部に金属ベローズ５２およびベローズキャップ５３を有し、金属ベローズ５２の外周側をガス室５４、内周側を液室５５とする外ガスタイプの金属ベローズ型アキュムレータであって、機器の運転停止による配管圧力降下（ゼロダウン）時にベローズ５２が収縮してベローズキャップ５３に取り付けたシール５６がステー５７に当接することにより液室５５を封止してベローズ５２内外の圧力を均衡させる構造のアキュムレータが知られている（下記特許文献１または２参照）。
【０００３】
しかしながら、この従来技術では、上記ゼロダウンが低温または常温で行なわれその後、温度が上昇した場合、熱膨張時の圧力上昇度合いはガス室５４内の封入ガスに比べて液室５５内の液体（バックアップフルード）のほうが大きいことから、ベローズ５２内外に数ＭＰａ程度にも及ぶ大きな圧力差が発生することがあり、このように大きな圧力差が発生するとベローズ５２が異常変形したり破損したりする虞がある。
【０００４】
上記ベローズ５２の異常変形や破損を防止するため、本願発明者らは先に図７に示すアキュムレータを提案しており、このアキュムレータでは、オイルポート５８のベローズキャップ５３側にバネ手段５９で支持された可動プレート６０が設けられ、定常作動時、可動プレート６０はバネ手段５９に支持されてシール５６から離間しており、ゼロダウン時、可動プレート６０はベローズキャップ５３に押されてバネ手段５９を圧縮しながらシール５６に接触し、ゼロダウン時液室５５に閉じ込められた液体が熱膨張したときには、可動プレート６０はシール５６に接触したままでベローズキャップ５３が液体圧とガス圧が釣り合う位置まで移動する構成とされている（下記特許文献３参照）。
【０００５】
したがって、この先行技術では、ゼロダウン時液室５５に閉じ込められた液体が熱膨張したときに可動プレート６０はシール５６に接触したままでベローズキャップ５３が液体圧とガス圧が釣り合う位置まで移動するため、ベローズ５２内外の圧力差がなくなり、よってベローズ５２が内外圧力差により異常変形したり破損したりするのを防止することが可能とされている。
【０００６】
しかしながら、この先行技術では、ベローズ５２自体の構造は何ら改良されておらず、これに対し、ベローズ５２自体に液体の熱膨張による高圧を吸収する機能を備えれば、上記可動プレート６０やバネ手段５９などによる圧力吸収機構を採用する必要がないことになる。
【０００７】
尚、本願出願人らは先に別途、図８に示すアキュムレータを提案しており、このアキュムレータには、ゼロダウン後の更なる液室の圧力低下によりベローズ５２が収縮し変形したときに外径側山部と内径側谷部との間に面接触部分を形成するとともに、外径側山部のＵ字型部分の曲率半径が縮小してヘアピン形状が形成され、外径側山部同士が非接触状態になる金属ベローズ５２が備えられている（下記特許文献４参照）。
【０００８】
しかしながら、この先行技術に係る金属ベローズ５２では、その面接触部分はベローズ自由長状態で互いに離れており、ベローズ収縮時に互いに面接触するものであるため、その組み付け初期のベローズ長さは収縮（ゼロダウン）時のベローズ長さよりも大きく設定されており、よって本発明とはベローズ５２の構造が異なるものである。
【先行技術文献】
【特許文献】
【０００９】
【特許文献１】特開２００３−１７２３０１号公報
【特許文献２】実用新案登録第３１４８３５１号公報
【特許文献３】ＷＯ２００９／０４７９６４Ａ１号公報
【特許文献４】特開２００７−１９２２９０号公報
【発明の概要】
【発明が解決しようとする課題】
【００１０】
本発明は以上の点に鑑みて、ベローズ自体が液体の熱膨張による高圧を吸収する機能を備える金属ベローズを提供することを目的とする。
【課題を解決するための手段】
【００１１】
上記目的を達成するため、本発明の請求項１による金属ベローズは、環状を呈し、第一内径側反転部、第一腹部、第一外径側反転部、第二腹部、第二内径側反転部、第三腹部、第二外径側反転部および第四腹部をこの順に一連に一体成形した構造を軸方向に繰り返し有する金属ベローズであって、当該ベローズが伸長も収縮もしていない組み込み初期における自由長状態において、前記第一腹部および第二腹部は互いに少なくとも一部が面接触し、断面円弧状をなして反転する前記第一外径側反転部の軸方向幅は前記第一腹部および第二腹部の厚みの和よりも大きく設定され、前記第二腹部および第三腹部は互いに軸方向に離間し、前記第三腹部および第四腹部は互いに少なくとも一部が面接触し、断面円弧状をなして反転する前記第二外径側反転部の軸方向幅は前記第三腹部および第四腹部の厚みの和よりも大きく設定され、前記第一外径側反転部および第二外径側反転部は互いに軸方向に離間しており、前記自由長状態において当該ベローズの内径側から圧力が作用したときに、前記第一腹部および第二腹部ならびに前記第三腹部および第四腹部はそれぞれ互いに軸方向に離間する方向へ膨らむことにより前記圧力を吸収し、このとき前記第一外径側反転部および第二外径側反転部の軸方向間隔は殆んど変わらず、前記自由長状態から当該ベローズが伸長したときには、前記第一外径側反転部および第二外径側反転部の軸方向間隔が拡大することを特徴とする。
【００１２】
上記請求項１による金属ベローズは、全体として環状を呈し、軸方向に並ぶ山谷を有し、山谷２ピッチ分の構成要素として、第一内径側反転部、第一腹部、第一外径側反転部、第二腹部、第二内径側反転部、第三腹部、第二外径側反転部および第四腹部をこの順に一連に有し、当該ベローズが伸長も収縮もしていない組み込み初期における自由長状態において以下の態様となるように構成されている。
（ａ）第一腹部および第二腹部は、互いに少なくとも一部が面接触している。
（ｂ）第一外径側反転部は、断面円弧状をなして反転し、その軸方向幅は第一腹部および第二腹部の厚みの和よりも大きく設定されている。
（ｃ）第二腹部および第三腹部は、互いに軸方向に離間している。
（ｄ）第三腹部および第四腹部は、第一腹部および第二腹部と同様に、互いに少なくとも一部が面接触している。
（ｅ）第二外径反転部は、第一外径反転部と同様に、断面円弧状をなして反転し、その軸方向幅は第三腹部および第四腹部の厚みの和よりも大きく設定されている。
（ｆ）第一外径側反転部および第二外径側反転部は、互いに軸方向に離間している。
【００１３】
そして、上記構成の金属ベローズでは、上記したように第一腹部および第二腹部は互いに少なくとも一部が面接触しており、第二腹部および第三腹部は互いに軸方向に離間しており、更に第三腹部および第四腹部は第一腹部および第二腹部と同様に互いに少なくとも一部が面接触しているため、当該ベローズに対しその内径側から液体の熱膨張による高圧が作用すると、第一腹部および第二腹部は互いに離間する方向へ膨らむとともに第三腹部および第四腹部も互いに離間する方向へ膨らみ、これにより高圧の少なくとも一部を吸収することが可能とされている。またこのとき、第一外径側反転部および第二外径側反転部の軸方向間隔は殆んど変わらないため、ベローズは殆んど伸長することなく上記高圧を吸収することが可能とされている。したがって、このようにベローズ自体が高圧を吸収する機能を備えるため、ベローズ自体によって内外圧力差を緩和もしくは解消することができる。
【００１４】
尚、上記したように本発明のベローズでは、組み込み初期における自由長状態において第一腹部および第二腹部が互いに面接触するとともに第三腹部および第四腹部も互いに面接触する構成とされているが、組み込み後の検査工程や実使用によりベローズが一旦伸長動作を経ると、これらの面接触状態は完全には原状に復帰せず、よってこの分、ベローズの自由長が伸びることがある。しかしながらこのような場合には、ベローズが収縮動作することにより面接触状態が原状に復帰するため、このとき高圧を吸収するように状況を設定することにより、上記したのと同じくベローズ自体が高圧を吸収する機能を発揮する。本願発明者らが行なった評価試験によると、自由長状態がストロークの中間部にある状態のほうが収縮方向のストローク限にある状態よりも、ベローズに発生する最大応力が小さくなるため、前者のほうが却って好適であると云うこともできる。
【発明の効果】
【００１５】
本発明によれば、以下の効果が発揮される。
【００１６】
すなわち、本発明の金属ベローズは、上記したように当該ベローズ自体が液体の熱膨張による高圧を吸収する機能を備えているため、当該ベローズ自体によってその内外圧力差を緩和もしくは解消することができる。したがって、上記可動プレートやバネ手段などによる圧力吸収機構を別途アキュムレータに設けなくても、ベローズが異常変形したり破損したりするのを抑制することができる。
【００１７】
尚、この効果はこれを換言すると、当該ベローズが熱膨張時に液室の容積を拡大する機能を備えていると云うことであり、また、腹部同士が面接触していて液室の容積が当初小さく設定されるので、液室の熱膨張の度合いを減少させることができると云うことである。
【００１８】
また、本発明のベローズにおいては、第一腹部および第二腹部は互いに少なくとも一部が面接触しており、第三腹部および第四腹部も互いに少なくとも一部が面接触しているため、自由長状態におけるピッチ（平均ピッチ）が小さく設定されている。したがって、このように自由長状態におけるピッチが小さいので、小ピッチ化によるアキュムレータハウジングの小型化や、ベローズ折り返し段数（山谷数）の増加による伸縮時の発生応力（振幅応力）の軽減（疲労軽減）を期待することができる。
【図面の簡単な説明】
【００１９】
【図１】本発明の実施例に係る金属ベローズを備えるアキュムレータの断面図
【図２】同金属ベローズを示す図であって、（Ａ）は同ベローズの自由長状態を示す要部断面図、（Ｂ）は同ベローズの伸長状態を示す要部断面図、（Ｃ）は同ベローズの自由長状態において内径側から高圧が作用してベローズが弾性変形したときの要部断面図
【図３】同ベローズの製造過程における状態を示す要部断面図
【図４】本発明の他の実施例に係る金属ベローズ型アキュムレータの断面図
【図５】本発明の他の実施例に係る金属ベローズ型アキュムレータの断面図
【図６】従来例に係る金属ベローズ型アキュムレータの断面図
【図７】他の従来例に係る金属ベローズ型アキュムレータの断面図
【図８】他の従来例に係る金属ベローズ型アキュムレータの断面図
【発明を実施するための形態】
【００２０】
本発明には、以下の実施形態が含まれる。
【００２１】
（１）本発明は、予めＵ字型ベローズに外圧を印加するなどしてヘアピン形状に２次成形を行ない、ベローズの腹部を密着させることによりベローズの各山に吸収機能を持たせた金属ベローズ、およびこの金属ベローズを装着したアキュムレータを提供する。尚、疲労性アップの目的から、ベローズには時効焼鈍・セッチングを施すことが好ましい。
【００２２】
（２）上記（１）によれば、以下の効果が発揮される。すなわち、ヘアピン型ベローズでは、収縮時の強度が極めて高いので、液室の熱膨張によるベローズの破損が軽減される。また、予めヘアピン形状としたベローズを組み付けるので、小ピッチ化によるシェルの小型化、またはベローズの山数増加による伸縮時の発生応力（振幅応力）の軽減（疲労軽減）が狙える。さらには、予めヘアピン形状とした場合は、液室内の容積も減るので、熱膨張の度合いも減少できる。
【００２３】
（３）予め２次成形したヘアピン形状の金属ベローズを装着し、ベローズの腹部を密着させることによりベローズの各山に吸収機能を持たせた金属ベローズ型アキュムレータ用ベローズ。ここで、ベローズをヘアピン形状とした場合、各山間のピッチは小さくなり、応力振幅（所定の振幅を与えた時のベローズにかかる応力）はピッチの０．５乗に反比例して大きくなる。しかし、ベローズの最圧縮時の長さ（ゼロダウン長）をＵ字ベローズの場合と同じに設計することで、ピッチを小さくした分だけ山数が増えることになり、山数に反比例して応力振幅は低下する。よって、両者の兼ね合いから、結果として腹部を密着させたヘアピン形状のベローズでは、Ｕ字ベローズに比べて応力振幅を小さくできる。また、ゼロダウン長を変えず、小ピッチ化することで、バックアップフルード量が低減でき、熱膨張量を減少させることができるので、ヘアピンベローズの必要とする弾性変形領域も小さくなり、吸収機能のロバスト性を確保することができる。
【００２４】
（４）小ピッチ化してベローズ自由長に入る山数を多くすれば、小ピッチ化により応力振幅はルートに反比例して増えるが、応力振幅と反比例の関係にある山数を増やすので、トータルで応力振幅を低減させることができ、従来技術のベローズに対して長寿命化が図れる（下記（５）のベローズ応力振幅計算式参照）。このとき、ゼロダウン長は変えないので、アキュムレータとして体格が大きくなることはない。
【００２５】
（５）ベローズ応力振幅計算式
σ／２＝１．５Ｅｔδ／（４Ｎｂ０．５ｈ１．５）
σ／２：ベローズ応力振幅（ＭＰａ）
Ｅ：ヤング率（ＭＰａ）
ｔ：ベローズ板厚（ｍｍ）
δ：ベローズストローク（ｍｍ）
Ｎ：ベローズ山数
ｂ：ベローズピッチの１／２（ｍｍ）
ｈ：ベローズ山高さ（ｍｍ）  {（ベローズ外径）−（ベローズ内径）}／２
【００２６】
（６）具体例
ヘアピンベローズ（ベローズピッチ：１ｍｍ、ベローズゼロダウン長：３５．５ｍｍ（＝ベローズ自由長：３５．５ｍｍ）、山数：３５山）の応力振幅は、Ｕ字ベローズ（ベローズピッチ：２．５ｍｍ、ベローズゼロダウン長：３５．５ｍｍ（＝ベローズ自由長：５１．２５ｍｍ）、山数：２０山）の応力振幅の９０％に相当する（本例は、ベローズ山高さが同じ場合を示す）。
【００２７】
（７）応力振幅
ゼロダウン状態からベローズが伸長した時の応力振幅は、
応力振幅＝｜（ゼロダウン状態の発生応力）−（ベローズ伸長時の発生応力）｜／２
で表される。
【００２８】
（８）外ガスタイプの金属ベローズ型アキュムレータでは、それを搭載した車が火災に遭うなどして高温に加熱された場合の充填ガスのリリーフ手段として、ステー側面に薄肉部を設ける方法が知られている（上記特許文献１参照）。しかしながら上記（１）〜（７）のように、予めベローズをヘアピン形状にして耐圧性を高めた場合、充填ガスの仕切り板であるベローズの変形または破損が生じにくいので、充填ガスがリリーフされず、シェルの破損を招く危険性が出てくる。
【００２９】
（９）そこで、予めヘアピン形状とした金属ベローズを装着した外ガスタイプのアキュムレータにおいて、ベローズキャップに破裂板（薄肉部）を設けたことを特徴とする。好ましくは、高温時にシールゴムが焼けて炭化した場合、ベローズキャップとステーがメタルシールしないようにベローズキャップと対峙するステー面に数箇所の溝または突起を設ける。シールゴムはゴム単体のリップシールとすることがシール性の観点から好ましいが、この場合、リップシールの機能維持と非常時の封入オイルの抜けを確保する必要から、設置するシールホルダとベローズキャップのクリアランスはガス圧上昇時にもクリアランスを保つように設定することが好ましい。ヘアピン形状のベローズは、使用時の温度サイクルによる液室の熱膨張によって破損しにくいが、異常時の高温下でも破損しにくい問題がある。このため、ベローズキャップに破裂板（薄膜部）を設置することで、異常時の高温下における充填ガスのリリーフが確保できる。また、ベローズキャップに対峙するステー面に溝または突起を設けることで、高温下でシールゴムが焼けた場合でも、メタルシールとならず、液室のオイルを安全にポート側へ逃がすことができる。
【実施例】
【００３０】
つぎに本発明の実施例を図面にしたがって説明する。
【００３１】
図１は、本発明の実施例に係る金属ベローズ９を備えるアキュムレータ１の断面を示している。図２は同金属ベローズ９の一部を拡大して示しており、図２（Ａ）はその組み込み初期における自由長状態の要部断面、図２（Ｂ）はその伸長状態の要部断面、図２（Ｃ）はその自由長状態において内径側から高圧が作用してベローズ９が弾性変形したときの要部断面をそれぞれ示している。また、図３は同金属ベローズ９の製造過程における要部断面を示している。
【００３２】
図１に示すアキュムレータ１は、ベローズとして金属ベローズ９を用いる金属ベローズ型アキュムレータであって、以下のように構成されている。
【００３３】
すなわち先ず、図示しない圧力配管に接続されるオイルポート４を備えたアキュムレータハウジング２が設けられており、このハウジング２の内部にベローズ９およびベローズキャップ１０が配置されてハウジング２の内部空間が高圧ガス（例えば窒素ガス）を封入するガス室１１と、オイルポート４のポート穴５に連通する液室１２とに仕切られている。ハウジング２としては、有底円筒状のシェル３と、このシェル３の開口部に固定（溶接）されたオイルポート４との組み合わせよりなるものが描かれているが、このハウジング２の部品割り構造は特に限定されるものではなく、例えばオイルポート４とシェル３は一体であっても良く、シェル３の底部はシェル３と別体のエンドカバーであっても良く、いずれにしてもシェル３の底部またはこれに相当する部品には、ガス室１１にガスを注入するためのガス注入口６が設けられ、ガス注入後、ガスプラグ７で閉じられている。符号８は六角ナット付ピンである。
【００３４】
ベローズ９は、その固定端９ａをハウジング２のポート側内面であるオイルポート４の内面に固定（溶接）するとともにその遊動端９ｂに円盤状のベローズキャップ１０を固定（溶接）しており、よって当該アキュムレータ１はベローズ９の外周側にガス室１１を配置するとともにベローズ９の内周側に液室１２を配置する外ガスタイプのアキュムレータとされている。ベローズキャップ１０の外周部には、ハウジング２の内面に対するベローズ９の接触を防止するために制振リング１３が取り付けられているが、この制振リング１３はシール作用を奏するものではない。
【００３５】
ハウジング２のポート側内面すなわちオイルポート４の内面に位置して環状ないし筒状のステー１５が固定（溶接）されており、このステー１５の先端（図では上端）に、ベローズキャップ１０が接離自在に当接することによりベローズキャップ１０のベローズ収縮方向へのストローク限を規定する環状のストッパ部１５ａが設けられている。またステー１５の内周面には内向きフランジ部１５ｂが設けられて第一段差部１５ｃおよび第二段差部１５ｄが形成され、前者の第一段差部１５ｃに嵌合されたシール１６が、後者の第二段差部１５ｄに嵌合されたシールホルダ１７によって抜け止め保持されている。フランジ部１５ｂの内周は連通孔１５ｅとされ、シールホルダ１７の内周も連通孔１７ａとされている。
【００３６】
シール１６は、ベローズキャップ１０がストッパ部１５ａに当接して上記ストローク限に位置したときにこのベローズキャップ１０に接離自在に密接することにより液室１２（ベローズ９およびシール１６間の空間）を閉塞してこの液室１２内に一部の液体を閉じ込めるものであって、このシール機能を十分に発揮するように外向きのシールリップを備えたゴム状弾性体製パッキンにより形成されている。尚、シール１６としては、十分なシール性能を発揮するものであればＯリングやＸリングなどの他の形状のパッキンであっても良く、本発明は特にシール１６の種類や形状を限定するものではない。またシール１６は、上記特許文献１に記載のようにベローズキャップ１０に取り付けられてステー１５やオイルポート４等に接触するものであっても良い。またステー１５における上記ストッパ部１５ａには、その内外を連通させるための切欠状の連通路１５ｆが円周上一箇所または複数個所に設けられている。
【００３７】
ベローズ９は、全体として環状ないし筒状を呈し、環状の山部および谷部が軸方向に交互に並べられ、図２（Ａ）に拡大して示すように山谷２ピッチ分の構成要素として、第一内径側反転部９ｃ、第一腹部９ｄ、第一外径側反転部９ｅ、第二腹部９ｆ、第二内径側反転部９ｇ、第三腹部９ｈ、第二外径側反転部９ｉおよび第四腹部９ｊがこの順に一連に一体成形された金属ベローズとして成形されており、伸長も収縮もしていない組み込み初期の自由長状態において図示するように、第一内径側反転部９ｃは断面Ｕ字状をなして反転し、第一腹部９ｄおよび第二腹部９ｆはそれぞれ平面状をなして互いに面接触し、第一外径側反転部９ｅは断面円弧状をなして反転するとともにその軸方向幅ｗ１を第一腹部９ｄおよび第二腹部９ｆの厚みの和ｗ２よりも大きく設定され、かつ中空部９ｋを備え、第二腹部９ｆおよび第三腹部９ｈは互いに軸方向に離間し、第二内径側反転部９ｇは第一内径側反転部９ｃと同様、断面Ｕ字状をなして反転し、第三腹部９ｈおよび第四腹部９ｊは第一腹部９ｄおよび第二腹部９ｆと同様それぞれ平面状をなして互いに面接触し、第二外径側反転部９ｉは第一外径側反転部９ｅと同様、断面円弧状をなして反転するとともにその軸方向幅ｗ１を第三腹部９ｈおよび第四腹部９ｊの厚みの和ｗ２よりも大きく設定され、かつ中空部９ｍを備え、第一外径側反転部９ｅおよび第二外径側反転部９ｉは互いに軸方向に離間し、第一内径側反転部９ｃおよび第二内径側反転部９ｇは上記第一腹部９ｄおよび第二腹部９ｆが面接触しているのに合わせて互いに接触しており、この図２（Ａ）の自由長状態からベローズ９が伸長すると図２（Ｂ）に示すように、第一腹部９ｄおよび第二腹部９ｆは互いに軸方向に離間して「く」の字状に開き、第三腹部９ｈおよび第四腹部９ｊも互いに軸方向に離間して「く」の字状に開き、第一外径側反転部９ｅおよび第二外径側反転部９ｉは互いに軸方向に大きく離間し、第一内径側反転部９ｃおよび第二内径側反転部９ｇも互いに軸方向に大きく離間する。
【００３８】
また、図２（Ａ）の自由長状態（初期状態）において、当該ベローズ９に対しその内径側（図では右側）から高圧が作用してベローズ９が弾性変形すると図２（Ｃ）に示すように、第一内径側反転部９ｃおよび第二内径側反転部９ｇの間から高圧が進入する結果として、第一腹部９ｄは上向き凸の円弧形に膨らむように弾性変形し、第二腹部９ｆは下向き凸の円弧形に膨らむように弾性変形し、第一腹部９ｄおよび第二腹部９ｆは互いに軸方向に離間する。また第二内径側反転部９ｇおよびその下側の内径側反転部（図示せず）の間から高圧が進入する結果として、第三腹部９ｈは上向き凸の円弧形に膨らむように弾性変形し、第四腹部９ｊは下向き凸の円弧形に膨らむように弾性変形し、第三腹部９ｈおよび第四腹部９ｊは互いに軸方向に離間する。またこのとき、互いに軸方向に離間している第一外径側反転部９ｅおよび第二外径側反転部９ｉの離間距離（間隔）は殆ど変わらず、第一内径側反転部９ｃおよび第二内径側反転部９ｇはごく僅か（圧力が進入する程度）に離間するに過ぎない。したがって、ベローズ９全体としてその軸方向長さは殆んど変わらず、変わらないまま上記のように弾性変形して高圧を吸収することが可能とされており、これにより当該ベローズ９は当該ベローズ９自体が液体の熱膨張による高圧（圧力）を吸収する機能を備えていることになる。
【００３９】
尚、図２（Ａ）の状態において、第一腹部９ｄから第一外径側反転部９ｅで反転して第二腹部９ｆに至る部位および第三腹部９ｈから第二外径側反転部９ｉで反転して第四腹部９ｊに至る部位はそれぞれその断面形状をヘアピン形状とされており、このようにこれら部位がヘアピン形状を呈する状態が当該ベローズ９の自由長状態（初期状態）とされている。
【００４０】
そして、当該実施例では、図１に示したようにベローズキャップ１０がステー１５のストッパ部１５ａに当接してベローズ収縮方向のストローク限に位置するときまたはその近傍に位置するときに、ベローズ９が上記組み込み初期の自由長状態となるようにベローズ９の軸方向長さが設定され、すなわちベローズ９は伸長も収縮もせず図２（Ａ）に示す断面状態のままで図１に示す位置に配置されたオイルポート４およびベローズキャップ１０間に架設される。したがってこのベローズ９では、互いに隣り合う腹部９ｄ，９ｆ、９ｈ，９ｊ同士が２枚ずつ組となって面接触しており、よってピッチが小さく、強度および耐圧性が高められている。
【００４１】
尚、ベローズ９は、図３に示す断面形状（図示するように第一腹部９ｄおよび第二腹部９ｆは互いに軸方向に離間しており、第三腹部９ｈおよび第四腹部９ｊも互いに軸方向に離間している）に１次成形され、この状態から外圧Ｐを印加することにより図２（Ａ）に示すヘアピン形状に２次成形されるものである。
【００４２】
また、上記アキュムレータ１には、その他の構成として、以下の内容からなる防爆策が施されている。
【００４３】
すなわち先ず、ベローズキャップ１０に、火災発生等の異常時に高圧によって破裂して封入ガスをリリーフする破裂板部２１が設けられている。破裂板部２１は円盤状を呈するベローズキャップ１０の平面中央に設けられている。また破裂板部２１はベローズキャップ１０の平面一部に凹部２２を設けてベローズキャップ１０を薄肉とすることにより形成されている。凹部２２はガス室１１側に開口しているが、図４に示すように液室１２側に開口するものであっても良い。
【００４４】
また、火災発生等の異常時には、ガス室１１内の封入ガスのほかに、液室１２内の液体（バックアップフルード）もリリーフする必要があり、このためのリリーフ経路として、ステー１５に設けた切欠状の連通路１５ｆが用いられる。異常時にシール１６は高温によりシール性を消失する。またこのリリーフ経路を塞いでしまうことがないように金属製のシールホルダ１７と同じく金属製のベローズキャップ１０との間には十分な軸方向間隙が設定されている。
【００４５】
尚、上記アキュムレータ１では、内部部品としてハウジング２内にステー１５を設置しているが、オイルポート４の内面に凸部を一体成形することによってステー１５の代用とし、ステー１５を省略するようにしても良い。図５の他の実施例では、オイルポート４の内面に凸部２３が一体に設けられてステー１５の代用とされ、ステー１５が省略されている。凸部２３には、連通路１５ｆ付きのストッパ部１５ａが設けられ、またシール１６やシールホルダ１７を嵌合するための段差部１５ｃ，１５ｄが設けられている。またこの図５の例では、ベローズキャップ１０が立体形状とされ、すなわち円盤状の平面部１０ａの外周縁部からガス室１１側へ向けて筒状部１０ｂが一体成形されるとともに筒状部１０ｂの先端から径方向外方へ向けて外向きのフランジ部１０ｃが一体成形された形状とされ、これによりベローズ９の取付長が長く設定されている。
【符号の説明】
【００４６】
１  アキュムレータ
２  ハウジング
３  シェル
４  オイルポート
５  ポート穴
６  ガス注入口
７  ガスプラグ
８  六角ナット付ピン
９  ベローズ
９ａ  固定端
９ｂ  遊動端
９ｃ  第一内径側反転部
９ｄ  第一腹部
９ｅ  第一外径側反転部
９ｆ  第二腹部
９ｇ  第二内径側反転部
９ｈ  第三腹部
９ｉ  第二外径側反転部
９ｊ  第四腹部
９ｋ，９ｍ  中空部
１０  ベローズキャップ
１０ａ  平面部
１０ｂ  筒状部
１０ｃ，１５ｂ  フランジ部
１１  ガス室
１２  液室
１３  制振リング
１５  ステー
１５ａ  ストッパ部
１５ｃ，１５ｄ  段差部
１５ｅ，１７ａ  連通孔
１５ｆ  連通路
１６  シール
１７  シールホルダ
２１  破裂板部
２２  凹部
２３  凸部
【図１】
2010281443.tif 000003
【図２】
2010281443.tif 000004
【図３】
2010281443.tif 000005
【図４】
2010281443.tif 000006
【図５】
2010281443.tif 000007
【図６】
2010281443.tif 000008
【図７】
2010281443.tif 000009
【図８】
2010281443.tif 000010